(57)【要約】【課題】非レンズ面への蒸着を極力抑制してレンズ面に光反射性材料を蒸着することができるフレネルレンズシートに対する蒸着方法、反射スクリーンの製造方法を提供する。【解決手段】フレネルレンズシート１１に対する蒸着方法は、レンズ面１１１ａ及び非レンズ面１１１ｂを備える単位レンズ１１１が一方の面に複数配列されたフレネルレンズシートのレンズ面に、光反射性材料を蒸着するフレネルレンズシートに対する蒸着方法であって、フレネルレンズシートの一方の面側に蒸着源６２を配置し、蒸着源に対してフレネルレンズの光学的中心Ｆから離れた側に近接する位置に、蒸着方向を規制する略平板上の仕切り部材６５を配置した状態で蒸着を行うこと、を特徴とする。【選択図】図５
2013137379.tif 000002
【特許請求の範囲】
【請求項１】
レンズ面及び非レンズ面を備える単位レンズが一方の面に複数配列されてフレネルレンズを形成するフレネルレンズシートの前記レンズ面に、光反射性材料を蒸着するフレネルレンズシートに対する蒸着方法であって、
前記フレネルレンズシートの前記一方の面側に蒸着源を配置し、前記蒸着源に対してフレネルレンズの光学的中心から離れた側に近接する位置に、蒸着方向を規制する略平板上の仕切り部材を配置した状態で蒸着を行うこと、
を特徴とするフレネルレンズシートに対する蒸着方法。
【請求項２】
請求項１に記載のフレネルレンズシートに対する蒸着方法において、
前記蒸着源及び前記仕切り部材は、前記単位レンズの配列方向に平行な方向に沿って複数配列されること、
を特徴とするフレネルレンズシートに対する蒸着方法。
【請求項３】
請求項２に記載のフレネルレンズシートに対する蒸着方法において、
前記複数の蒸着源及び仕切り部材は、前記フレネルレンズの光学的中心から離れるにつれて密に配置されること、
を特徴とするフレネルレンズシートに対する蒸着方法。
【請求項４】
請求項１から請求項３までのいずれか１項に記載のフレネルレンズシートに対する蒸着方法において、
前記蒸着源に対して前記フレネルレンズの光学的中心に近い側に近接する位置に、略平板上の第２の仕切り部材を配置し、
前記仕切り部材及び前記第２の仕切り部材の間の寸法が、前記フレネルレンズシートに近い側が大きく、遠い側が小さいこと、
を特徴とするフレネルレンズシートに対する蒸着方法。
【請求項５】
請求項１から請求項４までのいずれか１項に記載のフレネルレンズシートに対する蒸着方法において、
前記フレネルレンズシートは、サーキュラーフレネルレンズシートであること、
を特徴とするフレネルレンズシートに対する蒸着方法。
【請求項６】
請求項１から請求項４までのいずれか１項に記載のフレネルレンズシートに対する蒸着方法において、
前記フレネルレンズシートは、リニアフレネルレンズシートであること、
を特徴とするフレネルレンズシートに対する蒸着方法。
【請求項７】
フレネルレンズシートを形成するレンズシート形成工程と、
請求項１から請求項６までのいずれか１項に記載のフレネルレンズシートに対する蒸着方法によって反射部を形成する反射部形成工程とを備えること、
を特徴とする反射スクリーンの製造方法。
【発明の詳細な説明】
【技術分野】
【０００１】
本発明は、レンズ面に光反射性材料を蒸着するフレネルレンズシートに対する蒸着方法、反射スクリーンの製造方法に関するものである。
【背景技術】
【０００２】
近年、短焦点型の映像投射装置によって投射された映像光を良好に表示するために、単位レンズが複数配列されたリニアフレネルレンズ形状やサーキュラーフレネルレンズ形状を有するレンズ層に反射部を形成した反射スクリーン等が様々に開発されている。
このようなレンズ層を用いた反射スクリーンの中には、単位レンズのレンズ面に、アルミニウム等の光反射性材料を蒸着することによって反射部を形成し、投影された映像光を反射して映像を表示するものがある。また、このような反射スクリーンの中には、映像光の反射に寄与しない非レンズ面に光を吸収する作用を有する光吸収層を形成し、外光や迷光等を吸収させ、明室環境下であっても映像が明るく、コントラストの向上等を図ったものがある（例えば、特許文献１）。
しかし、このような反射スクリーンは、アルミニウム等を蒸着して反射部を形成する場合に、レンズ面だけでなく非レンズ面にもアルミニウム等が蒸着されてしまう場合があった。非レンズ面にもアルミニウム等が蒸着されると、反射スクリーンに入射した外光や迷光等が非レンズ面で反射することとなり、反射スクリーンの明室環境下における映像の明るさや、コントラストを低下させる原因となっていた。
【先行技術文献】
【特許文献】
【０００３】
【特許文献１】特開２００６−３３０１４５号公報
【発明の概要】
【発明が解決しようとする課題】
【０００４】
本発明の課題は、非レンズ面への蒸着を極力抑制してレンズ面に光反射性材料を蒸着することができるフレネルレンズシートに対する蒸着方法、反射スクリーンの製造方法を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、レンズ面（１１１ａ）及び非レンズ面（１１１ｂ）を備える単位レンズ（１１１）が一方の面に複数配列されてフレネルレンズを形成するフレネルレンズシート（１１）の前記レンズ面に、光反射性材料を蒸着するフレネルレンズシートに対する蒸着方法であって、前記フレネルレンズシートの前記一方の面側に蒸着源（６２）を配置し、前記蒸着源に対してフレネルレンズの光学的中心（Ｆ）から離れた側に近接する位置に、蒸着方向を規制する略平板上の仕切り部材（６５）を配置した状態で蒸着を行うこと、を特徴とするフレネルレンズシートに対する蒸着方法である。
第２の発明は、第１の発明に記載のフレネルレンズシート（１１）に対する蒸着方法において、前記蒸着源（６２）及び前記仕切り部材（６５）は、前記単位レンズ（１１１）の配列方向に平行な方向に沿って複数配列されること、を特徴とするフレネルレンズシートに対する蒸着方法である。
第３の発明は、第２の発明に記載のフレネルレンズシート（１１）に対する蒸着方法において、前記複数の蒸着源（６２）及び仕切り部材（６５）は、前記フレネルレンズの光学的中心（Ｆ）から離れるにつれて密に配置されること、を特徴とするフレネルレンズシートに対する蒸着方法である。
第４の発明は、第１の発明から第３の発明までのいずれかの発明に記載のフレネルレンズシート（１１−２）に対する蒸着方法において、前記蒸着源（６２−２）に対して前記フレネルレンズの光学的中心（Ｆ）に近い側に近接する位置に、略平板上の第２の仕切り部材（６５−２）を配置し、前記仕切り部材（６５−２）及び前記第２の仕切り部材の間の寸法が、前記フレネルレンズシートに近い側が大きく、遠い側が小さいこと、を特徴とするフレネルレンズシートに対する蒸着方法である。
第５の発明は、第１の発明から第４の発明までのいずれかの発明に記載のフレネルレンズシート（１１）に対する蒸着方法において、前記フレネルレンズシートは、サーキュラーフレネルレンズシートであること、を特徴とするフレネルレンズシートに対する蒸着方法である。
第６の発明は、第１の発明から第４の発明までのいずれかの発明に記載のフレネルレンズシートに対する蒸着方法において、前記フレネルレンズシートは、リニアフレネルレンズシートであること、を特徴とするフレネルレンズシートに対する蒸着方法である。
第７の発明は、フレネルレンズシート（１１）を形成するレンズシート形成工程と、第１の発明から第６の発明までのいずれかの発明に記載のフレネルレンズシートに対する蒸着方法によって反射部（１２）を形成する反射部形成工程とを備えること、を特徴とする反射スクリーン（１０）の製造方法である。
【発明の効果】
【０００７】
本発明によれば、仕切り部材で蒸着方向を規制することによって、蒸着源から蒸発した光反射性材料を、レンズ面に効率よく蒸着させることができる一方、非レンズ面に蒸着されるのを抑制することができる。
【図面の簡単な説明】
【０００８】
【図１】第１実施形態の反射スクリーン１０を備える映像表示システム１を示す図である。
【図２】第１実施形態の反射スクリーン１０の層構成を説明する図である。
【図３】第１実施形態の反射スクリーン１０の製造過程を説明する図である。
【図４】第１実施形態の反射部１２の形成に使用する真空蒸着装置６０を説明する図である。
【図５】第１実施形態のレンズ層１１への蒸着方法を説明する図である。
【図６】第１実施形態のレンズ層１１への蒸着状態を評価する図及び写真である。
【図７】第２実施形態の仕切り部材６５−２の配置位置を説明する図である。
【発明を実施するための形態】
【０００９】
（第１実施形態）
以下、図面等を参照して、本発明の第１実施形態について説明する。
なお、図１を含め、以下に示す各図は、模式的に示した図であり、各部の大きさ、形状は、理解を容易にするために、適宜誇張している。従って、各光線の入射角度等に関して、実際の角度とは異なる場合がある。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、シート、板、フィルムの文言は、適宜置き換えることができるものとする。例えば、レンズシートは、レンズフィルムとしてもよいし、レンズ板としてもよい。
さらに、本明細書中に記載する各部材の寸法等の数値及び材料名等は、実施形態としての一例であり、これに限定されるものではなく、適宜選択して使用してよい。
【００１０】
図１は、第１実施形態の反射スクリーン１０を備える映像表示システム１を示す図である。
図１（ａ）は、この映像表示システム１の斜視図であり、図１（ｂ）は、この映像表示システムの側面図である。
なお、図１及び図２では、観察者Ｏが反射スクリーン１０に対向して位置した状態、すなわち反射スクリーン１０の使用状態を基準に、左右方向Ｘ、奥行方向Ｙ、鉛直方向Ｚとする。
【００１１】
図１（ａ）に示すように、映像表示システム１は、反射スクリーン１０、映像源３０等を備える。本実施形態では、反射スクリーン１０が映像源３０から投影された映像光Ｌを反射して、その画面上に映像を表示する一般的な映像表示システムを例に挙げて説明するが、これに限られない。例えば、映像表示システム１は、映像光Ｌを映像源３０から投射するフロントプロジェクションテレビシステム等としてもよいし、反射スクリーン１０、映像源３０、反射スクリーン１０の観察画面上の位置を検出する位置検出部、パーソナルコンピュータ等を備えたインタラクティブボードシステムとしてもよい。
図１（ｂ）に示すように、映像源３０は、映像光Ｌを反射スクリーン１０へ投影する映像投射装置であり、汎用のプロジェクタ等を用いることができる。映像源３０は、反射スクリーン１０の使用状態におけるスクリーンの画面よりも下側Ｚ２であって、奥行方向Ｙにおける位置が従来のプロジェクタに比べて大幅に近い位置から映像光Ｌを反射スクリーン１０に投射することができる短焦点型の汎用プロジェクタである。
【００１２】
反射スクリーン１０は、映像源３０が投射した映像光Ｌを観察者Ｏ側（Ｙ２側）へ向けて反射し、映像を表示する矩形状のスクリーンである。使用状態において、この反射スクリーン１０の観察画面は平面状であり、Ｙ２側から見て、長辺方向が左右方向Ｘに平行となる略矩形状である。
反射スクリーン１０は、その背面（Ｙ１側の面）に、平板状の支持板５０が、粘着材等からなる不図示の接合層を介して設けられており、この支持板５０により、その平面性を維持している。本実施形態の支持板５０は、光透過性を有していない。
【００１３】
図２は、第１実施形態の反射スクリーン１０の層構成を説明する図である。
図２（ａ）は、図１（ａ）のＩａ−Ｉａにおける断面の拡大図である。
図２（ｂ）は、図２（ａ）のレンズ層１１をサーキュラーフレネルレンズ形状のある側から見た図である。
なお、図２では、理解を容易にするために、支持板５０等を適宜省略している。また、図２（ｂ）では、理解を容易にするために、反射部１２及び光吸収層１３を省略している。
図２（ａ）に示すように、反射スクリーン１０は、その観察者Ｏ側（Ｙ２側）から順に、表面機能層１５、基材層１４、レンズ層１１（フレネルレンズシート）、反射部１２、光吸収層１３等を備えている。本実施形態の反射スクリーン１０は、例えば、画面サイズが対角８０インチサイズである。
【００１４】
基材層１４は、この反射スクリーン１０の基材となる透明又は半透明のシート状の部材である。基材層１４の観察者Ｏ側（Ｙ２側）には、表面機能層１５が一体に形成され、背面側（Ｙ１側）には、レンズ層１１が一体に形成されている。
この基材層１４としては、例えば、厚さが１００〜２００μｍであるＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂等の樹脂製のシート状部材を用いることができる。
【００１５】
また、基材層１４は、所定の透過率とするために、グレー等の染料や顔料等を含有することにより着色が施されていてもよいし、視野角を広げるために、拡散材を含有していてもよいし、顔料及び拡散材等を含有する層としてもよい。また、基材層１４は、単層ではなく、複数の層が一体に積層された形態としてもよく、例えば、上述のような拡散材を含有する層と透明な層等が一体に積層された形態としてもよい。
本実施形態の基材層１４は、厚さ２００μｍのＭＢＳ樹脂製であり、拡散材を含有するシート状の部材（拡散シート）を用いている。
【００１６】
レンズ層１１は、基材層１４の背面側（Ｙ１側）に設けられた光透過性を有する層である。レンズ層１１は、その背面（Ｙ１側の面）にサーキュラーフレネルレンズ形状が形成されている。
図２（ｂ）に示すように、本実施形態のレンズ層１１のサーキュラーフレネルレンズ形状は、反射スクリーン１０の表示領域外に位置する点Ｆを中心としてスクリーン面に沿って複数の単位レンズ１１１が同心円状に隣接して配列されている。すなわち、レンズ層１１のサーキュラーフレネルレンズ形状は、反射スクリーン１０の表示領域外に位置する点Ｆを光学的中心（フレネルセンター）とする、いわゆるオフセット構造により形成される。
そのため、レンズ層１１は、その背面側（Ｙ１側）から見たときに、真円の円弧形状の単位レンズ１１１が複数配列されている。なお、レンズ層１１は、これに限らず、例えば楕円等の円弧形状の単位レンズが複数配列されていてもよく、適宜選択してもよい。
【００１７】
レンズ層１１は、紫外線硬化型樹脂から形成されている。なお、レンズ層１１は、電子線硬化型樹脂等の他の電離放射線硬化型樹脂から形成してもよい。
レンズ層１１は、例えば、紫外線成形法等によって形成される。レンズ層１１（単位レンズ１１１）を紫外線成形法によって形成することにより、よりピッチＰが細かく、かつ、形状精度が高い単位レンズ１１１を形成することができる。なお、レンズ層１１の形成方法は、適宜自由に選択してよく、この限りではない。
【００１８】
図２（ａ）に示すように、単位レンズ１１１は、スクリーン面に直交する方向（奥行方向Ｙ）に平行であって反射スクリーン１０の左右方向Ｘの中心線に平行な面（ＹＺ平面）における断面形状が、略三角形形状であり、サーキュラーフレネルレンズ形状のレンズ面であるレンズ面１１１ａと、レンズ面１１１ａと対向する非レンズ面１１１ｂとを有している。本実施形態の単位レンズ１１１は、レンズ層１１の背面側（Ｙ１側）に凸となる略三角柱形状である。ここで、スクリーン面とは、この反射スクリーン１０において、スクリーン全体として見たときにおける、反射スクリーン１０の平面方向となる面（ＸＺ平面）を示すものであり、本明細書中においても同一の定義として用いている。この反射スクリーン１０のスクリーン面は、反射スクリーン１０の観察画面に平行である。
【００１９】
単位レンズ１１１は、反射スクリーン１０の使用状態において、レンズ面１１１ａが非レンズ面１１１ｂよりも上側Ｚ１に位置する。
単位レンズ１１１は、図２（ａ）に示すように、レンズ面１１１ａがスクリーン面に平行な面（ＸＺ平面）となす角度がαであり、非レンズ面１１１ｂがスクリーン面に平行な面（ＸＺ平面）となす角度がβ（β＞α）である。また、単位レンズ１１１は、その配列ピッチがＰである。
単位レンズ１１１の配列ピッチＰや角度α、角度βは、映像光を投影する映像源３０（プロジェクタ）の画素（ピクセル）の大きさや、映像源３０の映像光の投射角度（スクリーン面に対する映像光の入射角度）等に応じて、適宜変更可能である。
図２では、理解を容易にするために、単位レンズ１１１の配列ピッチＰ、角度α及び角度βは、一定である例を示しているが、実際には、角度αは、単位レンズ１１１の配列方向に沿って所定の角度範囲内でしだいに変化している。
【００２０】
一例として、本実施形態の単位レンズ１１１は、配列ピッチＰが１００μｍであり、角度αが６〜２０°の範囲内で配列方向に沿って鉛直方向Ｚの上側Ｚ１となるにしたがって大きくなるように連続的に変化している。また、単位レンズ１１１の角度βは、９０°である。本実施形態の単位レンズ１１１（レンズ層１１）は、ウレタンアクリレート樹脂製であり、その屈折率は、１．５５である。
なお、配列ピッチＰが単位レンズ１１１の配列方向に沿ってしだいに変化してもよいし、単位レンズ１１１は、反射スクリーン１０を使用環境や所望する光学性能等に合わせて、適宜その形状を選択してよい。
【００２１】
反射部１２は、光を反射する作用を有し、レンズ層１１の背面側（Ｙ１側）のレンズ面１１１ａ上に形成されている。反射部１２は、光反射性材料、例えば、高い反射率を得ることができる銀やアルミニウムを蒸着させることによって形成される。反射部１２は、例えば０．０５〜０．１μｍの膜厚で形成される。ここで、反射部１２は、銀の蒸着であれば９０〜９５％、アルミニウムの蒸着であれば８０〜９０％の反射率を得ることができる。本実施形態では、反射部１２は、銀ほどの反射率を有さないが、使用に十分な反射率を有し、銀よりも低コストであるアルミニウムの蒸着により形成される。
なお、反射部１２は、明るい映像を表示するために、その反射率が４０％以上とすることが好ましく、７０％以上とすることがさらに好ましい。
【００２２】
光吸収層１３は、光を吸収する作用を有する層であり、レンズ層１１の背面側（Ｙ１側）に、レンズ面１１１ａ上の反射部１２と、非レンズ面１１１ｂとを被覆するように形成される。この光吸収層１３は、黒色等の暗色系の塗料、暗色系の顔料や染料、カーボン粒子等を含有する紫外線硬化型樹脂や熱硬化型樹脂等により形成される。
本実施形態の光吸収層１３は、図２（ａ）に示すように、レンズ層１１の単位レンズ１１１間の谷部分を充填するように形成されているが、これに限らず、例えば、単位レンズ１１１及び反射部１２の凹凸形状に沿って所定の厚さで形成されてもよい。このとき、十分な光吸収作用を有するならば、光吸収層１３の厚さは一定でなくともよい。
【００２３】
表面機能層１５は、基材層１４の観察者Ｏ側（Ｙ２側）に設けられる層である。この表面機能層１５は、反射防止機能や防眩機能、紫外線吸収機能、防汚機能や帯電防止機能等、適宜必要な機能を１つ又は複数選択して設けることができる。
この表面機能層１５は、基材層１４とは別層であって不図示の粘着材等により基材層１４に接合される形態としてもよいし、基材層１４の観察者Ｏ側（Ｙ２側）の面に直接形成してもよい。
本実施形態の表面機能層１５は、防眩機能及びハードコート機能を有しており、基材層１４の観察者Ｏ側（Ｙ２側）の表面に、ハードコート機能を有する電離放射線硬化型樹脂（例えば、ウレタンアクリレート等）を膜厚２０μｍ程度で塗布して硬化させることにより、形成されている。
【００２４】
ここで、図２（ａ）を参照しながら、本実施形態の反射スクリーン１０へ入射する映像光及び外光の様子を説明する。なお、図２（ａ）では、理解を容易にするために、表面機能層１５と基材層１４とレンズ層１１とは、同じ屈折率であるものとして示している。
映像源３０から投影された映像光Ｌ１は、反射スクリーン１０の下側Ｚ２から入射し（図１（ａ）参照）、表面機能層１５及び基材層１４を透過してレンズ層１１の単位レンズ１１１へ入射する。そして、映像光Ｌ１は、レンズ面１１１ａに入射して反射部１２によって反射され、観察可能な光線として観察者Ｏ側（Ｙ２側）へ向かう。ここで、角度βが、反射スクリーン１０の鉛直方向Ｚの各点における映像光Ｌの入射角度よりも大きく、かつ、映像光Ｌが反射スクリーン１０の下側Ｚ２から投射されるため、非レンズ面１１１ｂには、映像光Ｌ１が入射しない。
【００２５】
一方、照明光等の不要な外光は、主として反射スクリーン１０の上側Ｚ１から入射し、表面機能層１５及び基材層１４を透過してレンズ層１１の単位レンズ１１１へ入射する。そして、一部の外光は、外光Ｇ１のように、非レンズ面１１１ｂに入射して光吸収層１３に吸収される。
また、その他の外光は、外光Ｇ２のように、レンズ面１１１ａで反射して、反射スクリーン１０の下側Ｚ２であって観察者Ｏの視野角範囲外へ向かうので、観察者Ｏ側（Ｙ２側）には直接届かない。
【００２６】
従って、反射スクリーン１０は、上述のような光吸収層１３による外光吸収作用や、反射部１２による観察者Ｏの観察角度外への外光反射作用により、映像のコントラストを上げることができる。
よって、本実施形態の反射スクリーン１０は、レンズ面１１１ａ上に形成された反射部１２によって効率よく映像光Ｌを観察者Ｏ側へ反射することができる。また、反射スクリーン１０は、光吸収層１３によって外光Ｇ１を吸収し、さらに、外光Ｇ２を観察者Ｏには届かない方向へ反射する。従って、明室環境下であっても、明るく、コントラストの高い良好な映像を表示することができる。
【００２７】
次に、反射スクリーン１０の製造方法について説明する。
図３は、実施形態の反射スクリーン１０の製造過程を説明する図である。
なお、図３は、反射スクリーン１０の左右方向Ｘの中心線に平行であってスクリーン面に直交する方向（奥行方向Ｙ）に平行な断面（ＹＺ断面）の一部を拡大して示している。また、図３は、反射スクリーン１０の製造過程等を説明する図であるが、図１及び図２と同様に、反射スクリーン１０の使用状態を基準に、左右方向Ｘ、奥行方向Ｙ、鉛直方向Ｚとする。
【００２８】
まず、図３（ａ）に示すように、作業者は、基材層１４を用意し、図３（ｂ）に示すようにその一方の面に電離放射線硬化型樹脂を塗布して硬化させ、表面機能層１５を形成する。
そして、図３（ｃ）に示すように、作業者は、基材層１４の表面機能層１５とは反対側の面に、レンズ層１１を形成する（レンズシート形成工程）。このレンズ層１１は、紫外線硬化型樹脂が充填されたサーキュラーフレネルレンズ形状を賦形する成形型に基材層１４を押圧し、紫外線を照射して硬化させた後に成形型から離型する紫外線成形法等により作成される。これにより、基材層１４の背面側（Ｙ１側）には、複数の単位レンズ１１１が同心円状に配列したサーキュラーフレネルレンズ形状が形成される。
【００２９】
なお、レンズ層１１の形成方法は、適宜選択してよく、この限りではない。また、レンズ層１１は、上述のように、電子線硬化型樹脂等の他の電離放射線硬化型樹脂により形成してもよい。
続いて、作業者は、レンズ層１１及び表面機能層１５を形成した基材層１４を所定の大きさに裁断する。以下、説明を容易にするために、レンズ層１１及び表面機能層１５を形成し、所定の大きさに裁断した基材層１４を蒸着基材２０と呼ぶ。
次に、作業者は、図３（ｄ）に示すように、後述の真空蒸着装置６０により、レンズ層１１のレンズ面１１１ａに反射部１２を形成する（反射部形成工程）。反射部１２の形成については、詳細を後述する。
【００３０】
そして、図３（ｅ）に示すように、作業者は、スクリーン印刷等により、蒸着基材２０の背面側（Ｙ１側）、すなわち、レンズ層１１の非レンズ面１１１ｂ上及び反射部１２上に、光吸収層１３を形成する。
なお、光吸収層１３の形成は、スクリーン印刷に限らず、例えばグラビアリバースコート方式や、インクジェット方式、フローコート方式、ダイコード方式等、公知の方法を適宜用いることができる。
以上により、反射スクリーン１０が完成する。
【００３１】
次に、反射スクリーン１０の反射部１２を形成するために使用する真空蒸着装置６０について説明する。
図４は、実施形態の反射スクリーン１０の反射部１２の形成に使用する真空蒸着装置６０を説明する図である。
図４に示すように、真空蒸着装置６０は、真空状態下において蒸着金属を加熱、溶融し、被蒸着物に対してその蒸着金属を蒸着する装置である。真空蒸着装置６０は、真空容器６１、蒸着源６２、真空ポンプ６３、試料台６４、仕切り部材６５等を備える。
真空容器６１は、その容器内を真空に保つことができる略円筒状の容器であり、容器内に被蒸着物を配置して蒸着金属を蒸着する。
【００３２】
蒸着源６２は、蒸着金属６２ａ及び加熱体６２ｂを有し、加熱体６２ｂによって蒸着金属６２ａを加熱、溶融する。蒸着源６２は、真空容器６１内に複数設けられており、例えば本実施形態では、４個設けられている。蒸着源６２は、被蒸着物の形状や、蒸着の形態に応じて、真空容器６１内の任意の場所に任意の数を配置することができる。
蒸着金属６２ａは、本実施形態では、光反射性材料のアルミニウムである。
加熱体６２ｂは、フィラメント等から構成され、フィラメントを加熱することによって、蒸着金属６２ａを加熱、溶融する。
真空ポンプ６３は、真空容器６１内を真空状態にする真空排気装置である。
試料台６４は、真空容器６１内において被蒸着物を固定する台である。
仕切り部材６５は、蒸着源６２から蒸発した蒸着金属６２ａの発散方向を規制する平板状の部材である。仕切り部材６５は、絶縁体により形成されており、例えば、本実施形態ではセラミクスから形成されている。
また、仕切り部材６５は、蒸着源６２と一対で使用される。そのため、仕切り部材６５は、蒸着源６２と同数用意され、蒸着源６２に近接して配置される。本実施形態では、仕切り部材６５は、４枚設けられている。
【００３３】
次に、蒸着基材２０のレンズ層１１の単位レンズ１１１のレンズ面１１１ａに対して反射部１２を形成する工程（反射部形成工程）について詳細を説明する。
図５は、第１実施形態のレンズ層１１への蒸着方法を説明する図である。
図５（ａ）は、蒸着基材２０、蒸着源６２、仕切り部材６５の配置を説明する図である。
図５（ｂ）は、図５（ａ）のａ−ａ矢視図である。
図５（ｃ）は、仕切り部材６５の他の配置例を示した図である。
なお、図５では、真空蒸着装置６０の使用状態を基準に、左右方向Ａ、奥行方向Ｂ、鉛直方向Ｃとする。また、蒸着基材２０及びレンズ層１１の背面とは、サーキュラーフレネルレンズ形状が形成された側の面をいう。
【００３４】
図５（ａ）に示すように、作業者は、真空容器６１内の試料台６４に蒸着基材２０を、その背面を下側Ｃ２にして配置する。
次に、作業者は、仕切り部材６５を、仕切り部材６５の平板面がシート面（スクリーン面と平行な面）に対して垂直になるようにして、レンズ層１１のサーキュラーフレネルレンズ形状のある面から所定の間隔をあけて配置する。また、仕切り部材６５は、図５（ｂ）に示すように、その平板面が、レンズ層１１のシート面の中心を通過し、単位レンズ１１１の配列する方向にのびる中心線Ｊに対して、垂直になるようにして配置される。
このとき、仕切り部材６５は、図５（ｃ）に示すように、蒸着基材２０のシート面に直交する方向（鉛直方向Ｃ）に対して、サーキュラーフレネルレンズの光学的中心Ｆと離れる側（Ａ１側）に、蒸着基材２０側の端部を、若干傾斜（例えば、１５°程度）させてもよい。仕切り部材６５を傾斜させることで、スクリーン面に垂直な方向からアルミニウムを、レンズ面１１１ａに対して効率よく蒸着させることができる。
【００３５】
また、図５（ａ）及び図５（ｂ）に示すように、仕切り部材６５は、上述したように４枚あるので、それぞれが、レンズ層１１のシート面の中心を通過し、単位レンズ１１１の配列する方向にのびる中心線Ｊと鉛直下側（Ｃ２側）に平行な線Ｋ上に一列に配置される。さらに、各仕切り部材６５は、サーキュラーフレネルレンズの光学的中心Ｆと離れるにつれて密に配置される。例えば、本実施形態では、各仕切り部材６５は、レンズ層１１のサーキュラーフレネルレンズの光学的中心Ｆに近い側の端部から順に、３００ｍｍ、７００ｍｍ、１０００ｍｍ、１２００ｍｍの位置に配置される。
それから、作業者は、蒸着源６２を、レンズ層１１のサーキュラーフレネルレンズ形状のある面に対して所定の間隔をあけて、仕切り部材６５に近接する位置に配置する。具体的には、作業者は、配置された各仕切り部材６５に対してサーキュラーフレネルレンズの光学的中心Ｆと近い側（Ａ２側）であって、上述の中心線Ｊと鉛直下側（Ｃ２側）に平行な線Ｋ上に、蒸着源６２を、蒸着金属６２ａがレンズ層１１のサーキュラーフレネルレンズ形状のある面と対面するように配置する。
【００３６】
蒸着基材２０、仕切り部材６５、蒸着源６２の配置がそれぞれ完了したら、作業者は、真空容器６１の扉（不図示）を閉め、真空ポンプ６３を作動させる。真空容器６１内が特定の真空度に達したら、作業者は、蒸着源６２の加熱体６２ｂを加熱し、蒸着金属６２ａであるアルミニウムを加熱、溶融させて蒸発させる。
蒸発したアルミニウムは、気体分子となって蒸着基材２０のレンズ層１１のサーキュラーフレネルレンズ形状に衝突して付着する。このとき、蒸着方向を規制する仕切り部材６５によって、蒸着源６２に対してサーキュラーフレネルレンズの光学的中心Ｆから離れる側（Ａ１側）に、蒸発したアルミニウムが発散しないように、仕切り部材６５が蒸着方向を規制する。これにより、本実施形態によれば、蒸発したアルミニウムの非レンズ面１１１ｂへの蒸着を抑制するとともに、レンズ面１１１ａへの蒸着を行うことができ、レンズ面１１１ａにのみ反射部１２を形成することができる。
【００３７】
また、蒸着源６２及び仕切り部材６５が、単位レンズ１１１の配列方向（左右方向Ａ）に複数設けられているので、蒸発したアルミニウムを、配列した各単位レンズ１１１のレンズ面１１１ａに対して蒸着することができ、また、非レンズ面１１１ｂに対する蒸着をより効果的に抑制することができる。
さらに、本実施形態によれば、複数の蒸着源６２及び仕切り部材６５は、レンズの立ち上がり角度（レンズ面とスクリーン面に平行な面となす角度α）が大きくなり、レンズ面が広くなるサーキュラーフレネルレンズの光学的中心Ｆから離れる側（Ａ１側）に密に配置されているので、サーキュラーフレネルレンズの光学的中心Ｆから離れる側（Ａ１側）のレンズ面１１１ａに対しても、他の部位と同様に、均等にアルミニウムを蒸着することができる。
【００３８】
次に本実施形態によるレンズ層１１の蒸着状態の評価結果について以下に説明する。
図６は、第１実施形態のレンズ層１１への蒸着状態を評価する図及び写真である。
図６（ａ）は、レンズ層１１の蒸着状態の評価範囲を示す図である。
図６（ｂ）は、仕切り部材６５を設けて蒸着した本実施形態の評価写真である。
図６（ｃ）は、仕切り部材６５を設けないで蒸着した比較例の評価写真である。
図６（ｂ）及び図６（ｃ）の各写真は、アルミニウムの蒸着により反射部１２が形成された蒸着基材２０の観察者Ｏ側（背面側の反対側）から光を照射し、蒸着基材２０の背面側から撮影したものである。図６（ｂ）及び図６（ｃ）において、反射部１２が形成された部位は、反射部１２によって光が遮断されるため、黒く表示され、反射部１２が形成されなかった部位は、光が透過するため、白く表示される。ここで、評価写真の白く表示される部分は、光を遮るものが少なければ白がより鮮明になる。図６（ｂ）及び図６（ｃ）のａ１〜ａ３、ｂ１〜ｂ３、ｃ１〜ｃ３は、図６（ａ）に示すａ１〜ａ３、ｂ１〜ｂ３、ｃ１〜ｃ３の各評価範囲における評価写真を示す。
【００３９】
図６（ｂ）及び図６（ｃ）を比較すると、各評価範囲における評価写真は、いずれもレンズ層１１の非レンズ面１１１ｂの部位が白く表示されているが、仕切り部材６５を設けて蒸着した本実施形態のほうが、仕切り部材６５を設けないで蒸着した比較例に比べ、非レンズ面１１１ｂの白く表示される部分がより鮮明になっている。以上より、本実施形態のように、仕切り部材６５を設けて蒸着した場合のほうが、設けない場合に比べ、非レンズ面１１１ｂへの蒸着が抑制されていることが確認された。
【００４０】
本実施形態によれば、蒸着方向を規制する仕切り部材６５によって、蒸着源６２に対してサーキュラーフレネルレンズの光学的中心Ｆから離れる側に、蒸発したアルミニウムが発散しないように、仕切り部材６５が蒸着方向を規制するので、蒸発したアルミニウムの非レンズ面１１１ｂへの蒸着を抑制するとともに、レンズ面１１１ａへの蒸着を効率よく行うことができ、レンズ面１１１ａにのみ反射部１２を形成することができる。
【００４１】
また、本実施形態によれば、蒸着源６２及び仕切り部材６５が、単位レンズ１１１の配列方向に複数設けられているので、反射スクリーン１０の製造方法は、蒸発したアルミニウムを、配列した各単位レンズ１１１のレンズ面１１１ａに対して蒸着することができ、また、非レンズ面１１１ｂに対する蒸着をより効果的に抑制することができる。
本実施形態によれば、複数の蒸着源６２及び仕切り部材６５が、サーキュラーフレネルレンズの光学的中心Ｆから離れるにつれて密に配置されているので、反射スクリーン１０の製造方法は、サーキュラーフレネルレンズ形状の光学的中心から離れる側のレンズ面１１１ａに対しても、他の部位と同様に、均等にアルミニウムを蒸着することができる。
以上により、明室環境下にあっても映像の明るさや、コントラストを低下するのを抑制した反射スクリーン１０を製造することができる。
【００４２】
（第２実施形態）
次に、本発明の第２実施形態について説明する。
図７は、第２実施形態の仕切り部材６５−２の配置位置を説明する図である。
なお、以下の説明及び図面において、前述した第１実施形態と同様の機能を果たす部分には、同一の符号又は末尾に同一の符号を付して、重複する説明を適宜省略する。
第２実施形態の反射スクリーン１０−２の製造方法は、仕切り部材６５−２が各蒸着源６２−２に対して２枚設けられている点で第１実施形態の反射スクリーン１０の製造方法と相違する。
仕切り部材６５−２は、１個の蒸着源６２−２に対し２枚設けられている。
【００４３】
図７に示すように、作業者は、仕切り部材６５−２を、蒸着源６２−２に対してサーキュラーフレネルレンズの光学的中心Ｆから離れる側だけでなく、蒸着源６２−２を挟み込むようにして、光学的中心Ｆに近い側にも配置する。
このとき、作業者は、光学的中心Ｆから離れる側にある仕切り部材６５−２を、シート面（スクリーン面と平行する面）に直交する方向に対して、そのレンズ層１１−２側の端部が光学的中心Ｆから離れる側へ角度θを有するように傾斜させる。また、作業者は、光学的中心Ｆに近い側にある仕切り部材６５−２を、シート面に直交する方向に対して、そのレンズ層１１−２側の端部が光学的中心Ｆに近づく側へ角度θを有するように傾斜させる。ここで、各仕切り部材６５−２は、シート面に直交する方向に対してθ＝１５°以内の範囲で傾斜させるのが好適である。
以上の仕切り部材６５−２の配置により、本実施形態の反射スクリーン１０−２の製造方法は、上記第１実施形態と同様の効果を得ることができる。また、１つの蒸着源６２−２に対する仕切り部材６５−２の数が増えるので、蒸着源６２−２の蒸着方向をより絞ることができ、さらに効率よくレンズ面１１１ａ−２にのみアルミニウムを蒸着することができる。
【００４４】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４５】
（変形形態）
（１）各実施形態では、反射スクリーン１０の製造方法は、サーキュラーフレネルレンズ形状に形成されたレンズ層１１に蒸着金属（光反射性材料）を蒸着する例を示したが、これに限定されない。例えば、リニアフレネルレンズ形状を有するレンズ層のレンズ面に蒸着する場合に用いることも可能である。
（２）各実施形態では、仕切り部材６５は、平板状の部材である例を示したが、これに限定されない。例えば、仕切り部材６５は、レンズ層１１のサーキュラーフレネルレンズ形状のある側の面に対して、レンズ層１１の非レンズ面１１１ｂに沿うようにして、平板の厚み方向が円弧形状に湾曲するように形成されていてもよい。
（３）各実施形態では、各仕切り部材及び蒸着源は、サーキュラーフレネルレンズの光学的中心Ｆと離れるにつれて密に配置される例を示したが、これに限定されない。例えば、各仕切り部材及び蒸着源は、等間隔に配置されていてもよい。
【符号の説明】
【００４６】
１０  反射スクリーン
１１  レンズ層
１１１  単位レンズ
１１１ａ  レンズ面
１１１ｂ  非レンズ面
１２  反射部
１４  基材層
６０  真空蒸着装置
６２  蒸着源
６５  仕切り部材
Ｆ  光学的中心（フレネルセンター）
【図１】
2013137379.tif 000003
【図２】
2013137379.tif 000004
【図３】
2013137379.tif 000005
【図４】
2013137379.tif 000006
【図５】
2013137379.tif 000007
【図７】
2013137379.tif 000008
【図６】
2013137379.tif 000009